(57)【要約】      （修正有）【課題】主に医療用の廃棄物を収納する容器において、ペダル付きでアームが回動するフレームに装着することができ、低コストで、収納スペースを取らず、静かに蓋の開閉が可能なものを提供する。【解決手段】ペダルＦ１上方とアームＦ２の下方との間に載置される上部が開放した直方体状の紙製の箱体１１と、当該箱体の開口縁後部に回動可能に設けられる当該箱体の上部開口を塞ぐ板体からなる第一蓋１２とからなる容器本体１０と、前記第一蓋の上方に前記第一蓋と略平行に設けられる板体からなる紙製の第二蓋２０であって、前記各アームが挿入される互いに平行に延びる隙間を有する二筋のアーム挿入部２１と、下面前方近傍に一端が固定され、前記第一蓋上面前方近傍に他端が固定される板体、棒体又は紐体からなり、前記一端及び他端が前記両アーム挿入部に直交する回転軸と平行な回転軸回りに回動可能に形成される連結体２２とが設けられた第二蓋とから構成する。【選択図】図４
0003173621.tif 000002
【実用新案登録請求の範囲】
【請求項１】
フレーム上部に、平行な二本のアームが、両アームに直交する回転軸回りに回動可能に設けられるとともに、前記フレーム下部にペダルが設けられ、前記ペダルと前記アームはリンクにより連結されることで、前記ペダルを踏むと前記アームは水平状態から上方に回動するように構成されたフレームに固定される廃棄物収納容器であって、
上記ペダル上方と前記アームの下方との間に載置される上部が開放した直方体状の紙製の箱体と、当該箱体の開口縁後部に回動可能に設けられる当該箱体の上部開口を塞ぐ板体からなる第一蓋とからなる容器本体と、
前記第一蓋の上方に前記第一蓋と略平行に設けられる板体からなる紙製の第二蓋であって、前記各アームが挿入される互いに平行に延びる隙間を有する二筋のアーム挿入部と、下面前方近傍に一端が固定され、前記第一蓋上面前方近傍に他端が固定される板体、棒体又は紐体からなり、前記一端及び他端が前記両アーム挿入部に直交する回転軸と平行な回転軸回りに回動可能に形成される連結体とが設けられた第二蓋と
を有する廃棄物収納容器。
【請求項２】
前記連結体の他端側と前記第一蓋及び／又は前記連結体の一端側と前記第二蓋とは着脱可能に形成される請求項１に記載の廃棄物収納容器。
【請求項３】
前記容器本体及び前記第二蓋は段ボールにより形成されるものである請求項１又は２に記載の廃棄物収納容器。
【考案の詳細な説明】
【技術分野】
【０００１】
本考案はペダルにより上部アームが回動するフレームに装着して使用する廃棄物収納容器に関する。
【背景技術】
【０００２】
医療廃棄物は、感染症の汚染源となる可能性があるため、適切に処理することが要求される。通常、医療廃棄物は蓋付きの容器で管理され、容器ごと焼却処分される。このような容器は、多くの場合、合成樹脂により形成されるが、頻繁に蓋を開け閉めする必要があるために、容器を所定のペダル付きのフレームにセットして使用することが多い。このようなフレームは上部に容器の蓋を装着するアームが設けられており、ペダルを踏むことでアームが上方に回動して蓋が開く仕組みになっている。
【考案の概要】
【考案が解決しようとする課題】
【０００３】
ところで、廃棄物は毎日大量に発生するために廃棄物容器は常に新しいものを多数保管しておく必要があるが、合成樹脂製の容器を保管するためには広い空間が必要となる。また、蓋の開け閉めに際して合成樹脂性の容器では蓋と容器本体とがぶつかる音がすることになり、特に夜間には、この音が病院内で響き、患者に不快な思いをさせることもある。また、合成樹脂性容器は製造コストがかかるという問題もある。
本考案は、このような問題に鑑みて、主に医療用の廃棄物を収納する容器において、ペダル付きのフレームに装着することができ、低コストで、収納スペースを取らず、静かに蓋の開閉が可能なものを提供することを課題とする。
【課題を解決するための手段】
【０００４】
上記課題を解決するために、本考案は次のような構成を有する。
請求項１に記載の考案は、フレーム上部に、平行な二本のアームが、両アームに直交する回転軸回りに回動可能に設けられるとともに、前記フレーム下部にペダルが設けられ、前記ペダルと前記アームはリンクにより連結されることで、前記ペダルを踏むと前記アームは水平状態から上方に回動するように構成されたフレームに固定される廃棄物収納容器である。この廃棄物収納容器は、上記ペダル上方と前記アームの下方との間に載置される上部が開放した直方体状の紙製の箱体と、当該箱体の開口縁後部に回動可能に設けられる当該箱体の上部開口を塞ぐ板体からなる第一蓋とからなる容器本体と、前記第一蓋の上方に前記第一蓋と略平行に設けられる板体からなる紙製の第二蓋であって、前記各アームが挿入される互いに平行に延びる隙間を有する二筋のアーム挿入部と、下面前方近傍に一端が固定され、前記第一蓋上面前方近傍に他端が固定される板体、棒体又は紐体からなり、前記一端及び他端が前記両アーム挿入部に直交する回転軸と平行な回転軸回りに回動可能に形成される連結体とが設けられた第二蓋とを有する。
請求項２に記載の考案は、前記廃棄物収納容器において、前記連結体の他端側と前記第一蓋及び／又前記連結体の一端側と前記第二蓋とは着脱可能に形成されるものである。
請求項３に記載の考案は、前記廃棄物収納容器において、前記容器本体及び前記第二蓋は段ボールにより形成されるものである。
【考案の効果】
【０００５】
請求項１に記載の考案は、第二蓋のアーム挿入部の隙間にアームを差し入れて固定することで、ペダルを踏めば第二蓋が上方に回動し、これに連結体によって連結する容器本体の第一蓋も上方に回動して開くこととなる。第二蓋と第一蓋とはリンクを構成する連結体によって連結されているので、アームの回転軸と第一蓋の回転軸とがずれていても、アームの回動によって第二蓋が開くと第一蓋はスムーズにこれに連動して開くことができる。また、容器本体及び第二蓋は紙製なので、低コストで製造でき、蓋の開閉に際して第一蓋が容器本体開口にぶつかってもあまり音がせず、使用前には折りたたんで収納することが可能である。なお、容器本体内に合成樹脂性の袋を装着することで液体を含んだ汚染廃棄物でも適切に隔離することができる。
請求項２に記載の考案は、第二蓋と第一蓋を着脱可能となるので、第二蓋を装着したまま容器本体を適宜交換することができ、さらに、低コスト化及び収納スペースの低減を図ることができる。
請求項３に記載の考案は、段ボールとすることで軽量で強度のある容器とすることができる。
【図面の簡単な説明】
【０００６】
【図１】フレームの斜視図である。
【図２】（ａ）は容器本体の第一蓋を閉じた状態を示す斜視図であり、（ｂ）は容器本体の第一蓋を開いた状態を示す斜視図であり、（ｃ）は容器本体に合成樹脂袋を装着した状態を示す斜視図である。
【図３】第二蓋の下方から見た状態を示す斜視図である。
【図４】フレームに廃棄物収納容器を装着した状態を示す斜視図である。
【考案を実施するための形態】
【０００７】
以下、本考案の実施の形態について、図面を参照しながら説明する。
まず、図１に本実施形態に係る廃棄物収納容器を装着するフレームＦの斜視図を示す。フレームＦは、ここでは既存の合成樹脂性の医療廃棄物容器を装着するためのフレームを用いる。なお、フレームＦは既存のものでなく、別途新たに製造してもよい。フレームＦは、容器を保持する空間を有し、下部にペダルＦ１が設けられている。また、上部に二本の平行なアームＦ２が両アームに垂直な回転軸回りに回転可能に設けられている。ペダルＦ１とアームＦ２とはリンクにより連動しており、ペダルＦ１を踏むとアームＦ２は上方に回動するように構成されている。
【０００８】
実施形態に係る廃棄物収納容器は、容器本体と第二蓋とから構成される。図２（ａ）に容器本体１０の斜視図を示す。容器本体１０は、段ボールにより形成されるものであって、上部が開放した直方体状の箱体１１と、箱体１１の上部開口を塞ぐ長方形状の第一蓋１２とから構成される。箱体１１はフレームＦの容器を保持する空間にほぼ嵌る外形を有する。箱体１１の上部開口縁後部と第一蓋１１の後縁とは回転可能に連結固定されている。これにより、図２（ｂ）に示すように第一蓋１２は回動させて開くことができる。第一蓋１２の上面前方中央近傍には、図２（ａ）に示すように面ファスナーの被係合部からなる被係合体１２ａが設けられている。また、第一蓋１２の下面後方寄りの位置には、横方向に渡って粘着テープ１２ｂが設けられ、当該粘着テープ１２ｂに折りたたまれた合成樹脂袋１２ｃの上縁が貼り付けられて固定されている。この合成樹脂袋１２ｃは使用に際しては、図２（ｃ）に示すように広げて粘着テープ１２ｂに貼り付けられていない上縁を箱体１１の開口縁から外側に折り返して使用する。
【０００９】
図３に第二蓋２０の下面側から見た斜視図を示す。第二蓋２０は段ボールからなる第一蓋１２よりもやや大きな長方形状の板体であり、下面両側がコの字状に折り曲げられることで前後に延びる隙間を有するアーム挿入部２１、２１が形成されている。当該アーム挿入部２１、２１の隙間はフレームＦのアームＦ２、Ｆ２が嵌る大きさ及び間隔に形成されている。第二蓋２０の下面前方中央近傍には連結体２２が設けられている。連結体２２は、段ボール板を折り曲げて形成されたもので、両端の第二蓋２０の下面に貼り付けられる長方形状の糊代部と、各糊代部から下垂する長方形状の脚部と、脚部同士の下端を連結する第二蓋２０に平行に形成される長方形状の底部とから構成される。このような構成により連結体は脚部の両端は回動可能に糊代部及び底部に連結され、側方から見ると平行リンクを形成することとなる。そして、連結体２２の底部には面ファスナーの係合部からなる係合体２２ａが貼り付けられる。
【００１０】
次に、以上のような構成を有する廃棄物収納容器の使用方法について説明する。使用者はまず、第二蓋２０の隙間２１、２１にフレームＦのアームＦ２を通すことで、第二蓋２０をアームＦに固定する。そして、図２（ｃ）のように合成樹脂袋１２ｃを装着した容器本体１０をフレームＦに載置し、第二蓋２０の係合体２２ａを第一蓋１２の被係合体１２ａに係合させることで第一蓋１２と第二蓋２０とを連結体２２により連結する。以上の操作により、図４に示すように廃棄物収納容器ＸをフレームＦに装着することができる。
【００１１】
使用に際しては、フレームＦのペダルＦ１を踏むと、アームＦ２に連結された第二蓋２０が開き、これに連結される第一蓋１２も開く。この際、第一蓋１２の回転軸とアームＦ２の回転軸がずれているので第一蓋１２と第二蓋２０とはずれながら動くことになるが、連結体２２の脚部両端が回動することで第一蓋１２と第二蓋２０とのずれに応じて傾くので、スムーズ回転動作を行なうことができる。第一蓋１２が開いたら、中に廃棄物を入れてペダルを放すことで第二蓋２０及び第一蓋１２を閉じる。廃棄物が容器本体１０に所定量溜まったら、第二蓋２０の係合体２２ａと第一蓋１２の被係合体１２ａとの係合を解き、容器本体１０をフレームＦから取り出して、そのまま廃棄する。なお、第二蓋２０はそのまま継続して使用することができる。
本実施形態に係る廃棄物収納容器は、段ボールで形成されるので、折畳んで収納することが可能であるとともに、十分な強度も得ることができ、低コストで製造することが可能である。また、紙であるので互いにぶつかっても大きな音がしないので、第一蓋１２を閉じる際に第一蓋１２が箱体１１の開口に当たっても比較的静かであり、夜間などでも騒音になることがない。
【００１２】
なお、上記実施形態では、連結体は平行リンクを形成するようにしているが、連結体が傾くことで第一蓋１２と第二蓋２０とのずれに追従できれば足りるので脚部は一枚でもよい。また、連結体と第一蓋１２とは面ファスナーで連結するようにしているが、着脱可能に連結できれば足りるので、段ボール同士を公知の方法で結合する等種々の方法が採用できる。さらに、連結体は棒体や紐体でもよく、第二蓋体と連結体とが着脱できるようにしてもよい。
【符号の説明】
【００１３】
Ｘ  廃棄物収納容器
Ｆ  フレーム
１０  容器本体
１１  箱体
１２  第一蓋
１２ａ  被係合体
１２ｂ  粘着テープ
１２ｃ  合成樹脂袋
２０  第二蓋
２１  隙間
２２  連結体
２２ａ  係合体
【図１】
0003173621.tif 000003
【図２】
0003173621.tif 000004
【図３】
0003173621.tif 000005
【図４】
0003173621.tif 000006